(57)【要約】【課題】生データと複数の項目からなる付帯情報とからなる収集データをデータ管理装置において記憶、管理するとともに、画像再構成のために収集データを要求した医用画像診断装置に適合した収集データを送信することが可能なデータ管理システムを提供する。【解決手段】被検体内部の情報を収集し、収集したデータを基に画像を再構成する医用画像診断装置２と、医用画像診断装置２から送信される収集データを保存、管理するとともに、収集データを要求する医用画像診断装置２が再構成可能な収集データを検索してその医用画像診断装置２へ収集データを送信するデータ管理装置３とを備える。【選択図】図７
2008253401.tif 000002
【特許請求の範囲】
【請求項１】
被検体内部の情報を収集し、収集したデータを基に画像を再構成する医用画像診断装置と、
前記医用画像診断装置から送信される前記収集データを保存、管理するとともに、前記収集データを要求する医用画像診断装置が再構成可能な収集データを検索してその医用画像診断装置へ前記収集データを送信するデータ管理装置と、
を備えることを特徴とするデータ管理システム。
【請求項２】
被検体内部の情報を収集し、収集したデータを基に画像を再構成する前に自らが再構成可能な収集データであるかを判断した上で画像の再構成を行う医用画像診断装置と、
前記医用画像診断装置から送信される前記収集データを保存、管理するとともに、前記収集データを要求する医用画像診断装置へ前記収集データを送信するデータ管理装置と、
を備えることを特徴とするデータ管理システム。
【請求項３】
前記医用画像診断装置から送信される前記収集データは、被検体内部から収集したデータである生データと前記生データに付帯する付帯情報から構成されることを特徴とする請求項１または請求項２に記載のデータ管理システム。
【請求項４】
前記データ管理装置は、前記収集データから前記付帯情報のみを抽出する付帯情報抽出手段と、前記付帯情報抽出手段によって抽出された前記付帯情報を記憶するデータベースと、前記収集データを保存する記憶手段と、前記医用画像診断装置からの収集データ取得要求に基づいて前記データベースまたは前記記憶手段から該当する収集データを検索する検索手段と、前記検索手段によって検索された収集データをリストにするリスト作成手段と、から構成されることを特徴とする請求項１ないし請求項３のいずれかに記載のデータ管理システム。
【請求項５】
前記検索手段が、前記付帯情報のうち、検出器の列数、スキャンの方法、撮影の条件、画像再構成の条件の少なくともいずれか１つの情報に基づいて前記収集データ取得要求を出した前記医用画像診断装置が画像を再構成することが可能であるか否かを判断することを特徴とする請求項１ないし請求項４のいずれかに記載のデータ管理システム。
【発明の詳細な説明】
【技術分野】
【０００１】
本発明は、医用画像診断装置が画像を再構成する際に必要な被検体内部の情報を収集して得られたデータを保存、検索することが可能なデータ管理システムに関する。
【背景技術】
【０００２】
現在医用画像診断装置としては例えば、Ｘ線診断装置やＣＴ（computed tomography：コンピュータ断層撮影）装置、超音波診断装置、磁気共鳴診断装置、ガンマカメラやＰＥＴ（positron-emission tomography：ポジトロン放出断層撮影）等、様々な医用画像診断装置が存在し、臨床の情報として医師等に有用な画像を提供している。特に近年では、各医用画像診断装置の進歩に加えて、画像処理技術の向上やコンピュータ動作の高速化、解像度の向上により、人体の内部構造をより正確に、種々の態様によって画像化することが可能となっている。
【０００３】
但し、これに伴ってこの収集された画像情報そのもの（以下、「生データ」という。）の容量は膨大となる。さらに医用画像診断装置には、その他にも被検体の情報等の情報も記憶されていることも考え合わせると、医用画像診断装置が備える記憶手段ではその容量が足りなくなることも考えられる。そこで、例えば、以下の特許文献１に示すように、医用画像診断装置にこの生データを保存するのではなく、別途データ管理装置を設けて保存することが行われる。
【０００４】
また、生データから画像を再構成するには画像処理を行う必要があるが、この画像処理には多くのプロセスが必要になる等、画像処理を行っている途中は医用画像診断装置の他の処理が滞ることも考えられ、その対策として、例えば、上述したデータ管理装置が予め画像の再構成を行い、その再構成された画像を医用画像診断装置に送信することも行われている（特許文献２参照）。
【特許文献１】特開２００４−１８０７８５号公報
【特許文献２】特開２００６−１１００７１号公報
【発明の開示】
【発明が解決しようとする課題】
【０００５】
確かに、特許文献１に挙げられているように、生データを医用画像診断装置とは別のデータ管理装置に記憶させる方法は、医用画像診断装置の記憶容量を他の機能に障害が出るまで一杯にしてしまうことがない点で優れる。
【０００６】
しかしながら、医用画像診断装置が画像を再構成するにあたりデータ管理装置から生データを送信してもらう際に、本来その医用画像診断装置では再構成することのできない生データが送信されてくることも考えられる。このような再構成不可能な生データを受信し、この生データに基づいて再構成の処理を行った場合、例えばハングアップ等の状態となり、医療機関の業務に支障を来すだけではなく、その医用画像診断装置の故障の原因ともなりかねない。
【０００７】
また、特許文献２に記載するように、データ管理装置において画像の再構成を行い、その画像を医用画像診断装置へ送信する場合には、医用画像診断装置を使用する医師等が意図しない画像が送信されてくる可能性がある。意図しない画像が送信されてきても検査、診察に役立たず、改めて適切な画像を要求しなければならない等、診療が滞ってしまう。これは画像を再構成する方法が複数あることに起因するもので、画像を再構成するにあたっては適切な再構成の指示を与える必要がある。
【０００８】
本発明は上記課題を解決するためになされたものであり、本発明の目的は、生データと複数の項目からなる付帯情報とからなる収集データをデータ管理装置において記憶、管理するとともに、画像再構成のために収集データを要求した医用画像診断装置に適合した収集データを送信することが可能なデータ管理システムを提供することである。
【課題を解決するための手段】
【０００９】
本発明の実施の形態に係る第１の特徴は、データ管理システムにおいて、被検体内部の情報を収集し、収集したデータを基に収集データを再構成する医用画像診断装置と、医用画像診断装置から送信される収集データを保存、管理するとともに、収集データを要求する医用画像診断装置が再構成可能な画像を検索してその医用画像診断装置へ収集データを送信するデータ管理装置とを備える。
【００１０】
本発明の実施の形態に係る第２の特徴は、データ管理システムにおいて、被検体内部の情報を収集し、収集したデータを基に画像を再構成する前に自らが再構成可能な収集データであるかを判断した上で画像の再構成を行う医用画像診断装置と、医用画像診断装置から送信される収集データを保存、管理するとともに、収集データを要求する医用画像診断装置へ収集データを送信するデータ管理装置とを備える。
【発明の効果】
【００１１】
本発明によれば、生データと複数の項目からなる付帯情報とからなる収集データをデータ管理装置において記憶、管理するとともに、画像再構成のために収集データを要求した医用画像診断装置に適合した収集データを送信することが可能なデータ管理システムを提供することができる。
【発明を実施するための最良の形態】
【００１２】
以下、本発明の実施の形態について図面を参照して詳細に説明する。
【００１３】
（第１の実施の形態）
図１は、データ管理システム１の全体の構成を示す構成図である。データ管理システム１では、医用画像診断装置２とデータ管理装置３とがネットワーク４に接続されている。
【００１４】
医用画像診断装置２は、医療機関にあり患者である被検体を検査、治療する目的で被検体内部の情報を収集する装置である。この医用画像診断装置２としては、上述したように、例えば、Ｘ線診断装置やＣＴ装置、超音波診断装置等を挙げることができる。図１では、３台の医用画像診断装置２がネットワーク４に接続されているが、医用画像診断装置２の数は単数でも複数でも良い。
【００１５】
データ管理装置３は、医用画像診断装置２が収集した生データ及び付帯情報を含む収集データを記憶、管理する。このデータ管理装置３についてもネットワーク４に接続される数は単数でも複数でも良い。
【００１６】
ネットワーク４は、医用画像診断装置２とデータ管理装置３との間で収集データをやり取りするために接続されるネットワークであり、例えば、インターネットやＬＡＮ（Local Area Network）等である。また、ネットワーク４を介して送受信される収集データの規格も、例えば、ＤＩＣＯＭ（Digital Imaging and Communications in Medicine）等、どのような規格でも構わない。
【００１７】
図２は医用画像診断装置２の内部構成を示すブロック図である。医用画像診断装置２は、ＣＰＵ（Central Processing Unit）２ａと、ＲＯＭ(Read Only Memory)２ｂと、ＲＡＭ（Random Access Memory）２ｃ及び入出力インターフェイス２ｄがバス２ｅを介して接続されている。入出力インターフェイス２ｄには、入力手段２ｆと、表示手段２ｇと、通信制御手段２ｈと、記憶手段２ｉと、リムーバブルディスク２ｊと、駆動部制御手段２ｋとが接続されており、駆動部制御手段２ｋによって医用画像診断装置２の各駆動部２ｌが制御される。
【００１８】
ＣＰＵ２ａは、入力手段２ｆからの入力信号に基づいてＲＯＭ２ｂから医用画像診断装置２を起動するためのブートプログラムを読み出して実行し、記憶手段２ｉに格納されている各種オペレーティングシステムを読み出す。またＣＰＵ２ａは、入力手段２ｆや入出力インターフェイス２ｄを介して、図２おいて図示していない外部機器からの入力信号に基づいて各種装置の制御を行う。さらにＣＰＵ２ａは、ＲＡＭ２ｃや記憶手段２ｉ等に記憶されたプログラム及びデータを読み出してＲＡＭ２ｃにロードするとともに、ＲＡＭ２ｃから読み出されたプログラムのコマンドに基づいて、画像の再構成、データの計算または加工等、一連の処理を実現する処理装置である。
【００１９】
入力手段２ｆは、医用画像診断装置２の操作者が各種の操作を入力するキーボード、ダイヤル等の入力デバイスにより構成されており、操作者の操作に基づいて入力信号を作成しバス２ｅを介してＣＰＵ２ａに送信される。表示手段２ｇは、例えば、液晶ディスプレイであり、例えばＣＰＵ２ａからバス２ｅを介して出力信号を受信し、ＣＰＵ２ａの処理結果等を表示する手段である。
【００２０】
通信制御手段２ｈは、ＬＡＮカードやモデム等の手段であり、医用画像診断装置２をインターネットやＬＡＮ等の通信ネットワーク４に接続することを可能とする手段である。通信制御手段２ｈを介して通信ネットワーク４と送受信したデータは入力信号または出力信号として、入出力インターフェイス２ｄ及びバス２ｅを介してＣＰＵ２ａに送受信される。
【００２１】
記憶手段２ｉは、半導体や磁気ディスクで構成されており、ＣＰＵ２ａで実行されるプログラムやデータが記憶されている。また、医用画像診断装置２固有の機器情報や被検体の患者情報、画像を再構成する場合の各種条件を示すソフト情報等も記憶されている。
【００２２】
リムーバブルディスク２ｊは、光ディスクやフレキシブルディスクのことであり、ディスクドライブによって読み書きされた信号は、入出力インターフェイス２ｄ及びバス２ｅを介してＣＰＵ２ａに送受信される。
【００２３】
なお、本発明の実施の形態における医用画像診断装置２における画像の再構成処理については以下、特に説明を加えないが、医師等が設定した各種条件に基づき、記憶手段２ｉに記憶され、或いはリムーバブルディスク２ｊに格納されている画像再構成プログラムが医用画像診断装置２のＣＰＵ２ａに読み込まれ実行されることにより行われる。
【００２４】
データ管理装置３は、図３に示すように、医用画像診断装置２から送信された収集データ等を受信する受信手段３ａと、医用画像診断装置２から送信された要求を選別する要求選別手段３ｂと、送信された収集データから付帯情報のみを抽出する付帯情報抽出手段３ｃと、抽出された付帯情報を記憶するデータベース３ｄと、収集データを記憶する記憶手段３ｅと、医用画像診断装置２からの要求を判断する要求判断手段３ｆと、その要求に基づいて適切な収集データを検索する検索手段３ｇと、検索された収集データのリストを作成するリスト作成手段３ｈと、医用画像診断装置２へデータを送信する送信手段３ｉとから構成される。
【００２５】
以下、データ管理装置３内部の各手段の働きを医用画像診断装置２とのデータのやりとりを示すフローチャート等の図面（図４ないし図７）を使用しつつ説明する。
【００２６】
医用画像診断装置２からデータ管理装置３へ送信される要求（データ）には、場面に分けて大きく２種類ある。一方は、医用画像診断装置２が被検体内部の情報収集を行い、それによって得られた収集データを記憶、管理させるためにデータ管理装置３へ送信する収集データ格納要求である。他方は、医用画像診断装置２が収集データを基に画像の再構成を行うために必要な収集データの送信をデータ管理装置３へ依頼する収集データ取得要求である。
【００２７】
図４は、医用画像診断装置２が被検体の撮影を行い、その収集データの記憶、管理をデータ管理装置３に要求する流れを示すフローチャートである。
【００２８】
まず、医用画像診断装置２は、被検体内部の情報収集を行う（ＳＴ１）。このフローチャートでは、被検体の内部情報の収集の一態様として「撮影」と記載している。この撮影を行うと生データが取得され（ＳＴ２）、この生データに例えば、患者情報等の付帯情報が付与される（ＳＴ３）。このようにすることで、生データにいわゆるインデックスが付くことになり、データ管理装置３内で記憶、管理した後、医用画像診断装置２からの要求に従って検索を行う際の目印となる。
【００２９】
付帯情報の例としては、図５の表に示すような情報を挙げることができる。ここでは、付帯情報を例えば、「患者情報」、「機器情報」、「ソフト情報」の大きく３つのカテゴリーに分けている。「患者情報」は、例えば、被検体の氏名、患者ＩＤ、撮影した部位等である。また、「機器情報」としては、例えば、撮影を行った医用画像診断装置２のメーカー名称、機種名称、例えばＣＴ装置であればガントリの口径等を挙げることができる。「ソフト情報」は、被検体の内部情報を収集する際の諸条件等を表わす情報であり、例えば、検出器の列数、スキャンの方法、撮影の条件、画像再構成の条件等である。なお、ここに挙げたカテゴリー、項目については、その取捨選択、或いは項目をどのカテゴリーに入れるか、等については任意に定めることができる。
【００３０】
医用画像診断装置２では、被検体内部の情報収集によって得られた生データに付帯情報を添付して収集データとし、収集データを格納（保存、記憶）して欲しい旨の要求（収集データ格納要求）を付けて、データ管理装置３へ送信する（ＳＴ４）。
【００３１】
医用画像診断装置２から送信された要求を受信した（ＳＴ５）データ管理装置３では、まず、要求選別手段３ｂにおいて、この要求が収集データ格納要求であるか、収集データ取得要求であるかを選別する（ＳＴ６）。ここでは、収集データ格納要求のついた収集データが送られてきていることから、この収集データは付帯情報抽出手段３ｃへ送られる。
【００３２】
付帯情報抽出手段３ｃでは、送られてきた収集データから付帯情報のみを抽出する（ＳＴ７）。医用画像診断装置２からのデータ取得要求に基づいて検索をする際に、データ容量の大きな生データを含んだまま検索手段３ｇが検索を行うと時間が掛かる等を考慮して、付帯情報のみを抽出してデータベース３ｄに記憶する（ＳＴ８）。但し、データ管理装置３ではそもそも医用画像診断装置２から送信されてきた収集データを保存するための装置であることから、付帯情報抽出手段３ｃで付帯情報のみを抽出するものの、生データと付帯情報からなる収集データは記憶手段３ｅに記憶される（ＳＴ８）。
【００３３】
このようにすることで、医用画像診断装置２で種週された収集データは、データ管理装置３に記憶され、管理される。
【００３４】
次に、医用画像診断装置２が収集データを基に診断、治療のために画像を再構成する際のデータ管理装置３内部の各手段の働きと医用画像診断装置２とのデータのやりとりを説明する。
【００３５】
図６は、医用画像診断装置２において、既に再構成を行う画像が特定されている場合の医用画像診断装置２とデータ管理装置３とのデータのやりとりを示すフローチャートである。
【００３６】
まず、医用画像診断装置２側で、医師等が入力手段２ｆを用いて再構成したい画像のデータ（取得データ）の条件を入力する（ＳＴ２１）。ここにいう条件とは、例えば、図５に示す患者氏名、撮影部位等の患者情報である。もちろん機器情報やソフト情報等も細かく設定することは可能である。取得データの条件が入力されたらデータ取得要求を付した取得データの条件を通信制御手段２ｈ、ネットワーク４を介してデータ管理装置３へ送信する（ＳＴ２２）。
【００３７】
データ管理装置３では医用画像診断装置２から送信された取得データの条件を受信手段３ａで受信し（ＳＴ２３）、要求選別手段３ｂにおいて医用画像診断装置２からどのような要求が送信されたか選別する（ＳＴ２４）。ここでは上述したように、画像を再構成するために必要となる収集データの取得を目的とした情報の送信を求める要求であることから、要求選別手段３ｂはデータ取得要求であると判断して、さらに要求判断手段３ｆに要求を送る。
【００３８】
この要求判断手段３ｆにおいては、医用画像診断装置２から送信されたデータ取得要求が、既に特定された収集データを要求するデータ取得要求であるか、医師等が入力した条件に合致する収集データの有無を問い合わせるデータ問い合わせ要求であるかを判断する。ここでは、既に再構成を行う画像が特定されている場合であるので、要求判断手段３ｆはデータ取得要求であると判断する。
【００３９】
この判断結果を検索手段３ｇに送り、検索手段３ｇでは記憶手段３ｅにアクセスして取得データの条件に合致した収集データを検索する（ＳＴ２５）。検索手段３ｇでは、取得データの条件が収集データ内の付帯情報として記憶されている各項目に合致するか否かを判断して該当する収集データを抽出、取得する（ＳＴ２６）。抽出された収集データを送信手段３ｉを介して医用画像診断装置２へ送信する（ＳＴ２７）。
【００４０】
医用画像診断装置２では、画像の再構成を行うために必要な収集データを受信し（ＳＴ２８）、この収集データの生データから画像再構成エンジンを用いて医用画像を再構成する（ＳＴ２９）。
【００４１】
図７は、医用画像診断装置２において再構成する画像を特定せずにデータ管理装置３へ収集データの送信を要求する場合の流れを示したフローチャートである。この場合は、データ管理装置３への収集データの要求を行う際の条件もあまり詳細には入力されないことが多いことからデータ管理装置３にて検索されて抽出される収集データは多くの場合複数となる。
【００４２】
医師等は、医用画像診断装置２において再構成を望む収集データ（取得データ）の条件を入力する（ＳＴ４１）。取得データの条件が入力されたら、医用画像診断装置２はデータ取得要求を付した取得データの条件を通信制御手段２ｈ、ネットワーク４を介してデータ管理装置３へ送信する（ＳＴ４２）。
【００４３】
データ管理装置３では、医用画像診断装置２から送信された取得データの条件を受信し（ＳＴ４３）、要求選別手段３ｂにおいて送信されてきた要求を選別する（ＳＴ４４）。ここでは、データ取得要求であると判断され、さらに要求判断手段３ｆにこの要求が送られる。要求判断手段３ｆでは、取得データの条件のみが送信されていることから、データ管理装置３内に指定した取得データの条件に合致する収集データとしてどのような収集データが記憶されているかを問い合わせする要求（データ問い合わせ要求）であると判断して、その判断結果を検索手段３ｇに送る。
【００４４】
検索手段３ｇでは、取得データの条件に合致する収集データの有無をデータベース３ｄに問い合わせて検索し（ＳＴ４５）、該当する収集データを全て抽出する（ＳＴ４６）。但し上述したように、ここで説明している状況においては、データ管理装置３への収集データの要求を行う際の条件もあまり詳細には入力されず、例えば、患者情報のみが入力されることが多いと考えられる。特に、例えば、撮影部位のみが条件として入力された場合は、その収集データは膨大な数に上る。
【００４５】
そこで、抽出した収集データをデータ問い合わせ要求を送信してきた医用画像診断装置２において再構成することができる収集データであるか否かが検索手段３ｇにおいて付帯情報を基に判断される（ＳＴ４７）。この判断を基にリスト作成の要否がさらに判断される。このように医用画像診断装置２において再構成することができるか否かを判断した上で送信しないと、上述したように、医用画像診断装置２が例えば、ハングアップ等の状態となり医療機関の業務に支障を来すだけではなく、その医用画像診断装置２の故障の原因ともなりかねないからである。
【００４６】
抽出された収集データがいずれも付帯情報に合致しない場合には（ＳＴ４７のＮ）、これらの収集データはデータ問い合わせ要求を送信してきた医用画像診断装置２において再構成することがすることができないデータであるので、抽出された収集データのリストは作成されない（ＳＴ４８）。なお、ここでリスト不作成の後については、フローチャートに記載していないが、この後は、例えば、医用画像診断装置２へはリストを送信しない、或いは、リストは送信しないもののリストが作成されなかった旨、医用画像診断装置２に対して報知する等の対応を取ることができる。
【００４７】
抽出された収集データの中にデータ問い合わせ要求を送信してきた医用画像診断装置２において再構成することができる収集データが含まれていた場合は、それらの収集データのリストを作成し、医用画像診断装置２へ送信する（ＳＴ４９、ＳＴ５０）。検索手段３ｇで既に問い合わせをした医用画像診断装置２が該当する収集データを再構成可能か否かを判断しているので、これらの収集データを医用画像診断装置２に送信してもハングアップ等の状態は起きない。また、収集データをいきなり送信するのではなく、作成したリストを予め送信することで送信するデータ容量が少なくて済むとともに、医用画像診断装置２側にさらに画像再構成に必要な収集データを選択させることができる。
【００４８】
医用画像診断装置２は、データ管理装置３が送信されたデータ問い合わせ要求に従って作成したリストを受信し（ＳＴ５１）、そのリストの中から必要な収集データを選択する（ＳＴ５２）。この選択は、例えば、該当する収集データにチェックを付ける、表示を反転させる等によって行うことができる。選択が行われた後、選択された収集データのデータ取得要求をデータ管理装置３へ送信する（ＳＴ５３）。
【００４９】
データ管理装置３では医用画像診断装置２から送信されたデータ取得要求を受信手段３ａで受信し（ＳＴ５４）、要求選別手段３ｂにおいて選別する（ＳＴ５５）。ここでは画像を再構成するために必要となるある特定の収集データの取得を目的とした要求であることから、要求選別手段３ｂはデータ取得要求であると判断して、さらに要求判断手段３ｆに要求を送る。
【００５０】
要求判断手段３ｆにおいては、送信されたデータ取得要求をさらに検索手段３ｇに送り、検索手段３ｇでは記憶手段３ｅにアクセスして収集データを検索する（ＳＴ５６）。検索手段３ｇでは、指定された収集データの付帯情報が記憶手段３ｅに記憶されている収集データ内の付帯情報と合致する収集データ抽出、取得する（ＳＴ５７）。リストは付帯情報のみが記憶されているデータベース３ｄを基にして作成されているため、ここではこの付帯情報を目印にして記憶手段３ｅから収集データを検索する。そして抽出された収集データを送信手段３ｉを介して医用画像診断装置２へ送信する（ＳＴ５８）。
【００５１】
医用画像診断装置２では、画像の再構成を行うために必要な収集データを受信し（ＳＴ５９）、この収集データの生データから医用画像を再構成する（ＳＴ６０）。
【００５２】
このようにデータ管理装置において収集データを管理するとともに、記憶手段内に記憶されている収集データの中から収集データの取得を求める医用画像診断装置が画像再構成可能な収集データのみを選択して送信することにより、医用画像診断装置を使用した業務に支障が出ることを防止できるデータ管理システムを提供することができる。
【００５３】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００５４】
第２の実施の形態におけるデータ管理システムにおいては、医用画像診断装置において画像再構成可能な収集データを選択する作業をデータ管理装置ではなく、その画像再構成を行う医用画像診断装置が行う点に特徴がある。
【００５５】
すなわち、第２の実施の形態では、医用画像診断装置２が再構成する画像を選択し再構成を行うまでの流れは、図８のフローチャートに示すようになされる。
【００５６】
図８のフローチャートにおいて、医用画像診断装置２において取得データの条件を入力してからデータ管理装置３の検索手段３ｇにおいて取得データの条件に合致する収集データを全て抽出するまでは第１の実施の形態において説明した場合と同じである（ＳＴ４１ないしＳＴ４６）。
【００５７】
ここでは、抽出された収集データの付帯情報に基づいてリストを作成する（ＳＴ７１）。但し、リストを作成する前にデータ問い合わせ要求を送信してきた医用画像診断装置２において画像再構成を行うことができるか否かのチェックは行われず（図７のステップ４７参照）、抽出された収集データの全てをリストに表示する。そして、このように作成されたリストを医用画像診断装置２へ送信する（ＳＴ７２）。
【００５８】
データ管理装置３から送信されたリストを受信した医用画像診断装置２は（ＳＴ７３）、送信されたリストに挙げられている収集データの中から画像再構成に必要な収集データを選択する（ＳＴ７４）。ただ、ここで収集データを選択するにあたっては、収集データの付帯情報に含まれている機器情報等の項目を基準としてその医用画像診断装置２において画像の再構成を行うことができるか否かが判断される。収集データを選択する際には、例えば、リスト受信時に予めこの判断がなされて該当する収集データを選択することができない旨表示しても良く、或いは、医師等が収集データを選択した時にその選択はできないことを報知するようにしても良い。このようにして選択された収集データのデータ取得要求をデータ管理装置３へ送信する（ＳＴ７５）。
【００５９】
この後、送信されたデータ取得要求に基づいてデータ管理装置３が該当する収集データを検索、抽出し、医用画像診断装置２へ送信し、医用画像診断装置２がこの送信された収集データを基に画像を再構成する流れは上述の通りである（ＳＴ５４ないしＳＴ６０）。
【００６０】
このようにデータ管理装置において収集データを管理するとともに、医用画像診断装置からの要求に基づいて検索された収集データのリストを基に、医用画像診断装置が予め画像再構成を行う前に画像再構成可能な収集データを選択することができるようにすることで、画像再構成できない収集データを基に画像再構成を行い、医用画像診断装置２に障害が生ずることを防止することのできるデータ管理システムを提供することができる。
【００６１】
なお、この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００６２】
【図１】本発明の実施の形態に係るデータ管理システムの全体の構成を示す構成図である。
【図２】本発明の実施の形態に係る医用画像診断装置の内部構成を示すブロック図である。
【図３】本発明の実施の形態に係るデータ管理装置の内部構成を示すブロック図である。
【図４】本発明の実施の形態における撮影から収集データの記憶までの流れを示すフローチャートである。
【図５】本発明の実施の形態に係る付帯情報の一例を示した表である。
【図６】本発明の第１の実施の形態に係る医用画像診断装置とデータ管理装置とのデータのやりとりを示すフローチャートである。
【図７】本発明の第１の実施の形態に係る医用画像診断装置とデータ管理装置とのデータのやりとりを示すフローチャートである。
【図８】本発明の第２の実施の形態に係る医用画像診断装置とデータ管理装置とのデータのやりとりを示すフローチャートである。
【符号の説明】
【００６３】
１  データ管理システム
２  医用画像診断装置
３  データ管理装置
４  ネットワーク
【図１】
2008253401.tif 000003
【図２】
2008253401.tif 000004
【図３】
2008253401.tif 000005
【図４】
2008253401.tif 000006
【図５】
2008253401.tif 000007
【図６】
2008253401.tif 000008
【図７】
2008253401.tif 000009
【図８】
2008253401.tif 000010